(57)【要約】【課題】通水口が設けられる部分に洗浄水が残りにくい水洗便器を提供する。【解決手段】水洗便器１は、汚物を除去するための洗浄水が流れるボール面２０を有するボール部２を備える。ボール部２は、ボール面２０上縁に沿って周方向に通水された洗浄水を流す棚面５を有する棚部２３を備える。ボール部２は、棚面５の周方向の一部に位置して洗浄水を周方向に通水する通水口２４を備える。棚面５は、通水口２４の上流側に上段部５１を有するとともに通水口２４の下流側に下段部５２を有する段差部５０を備える。下段部５２は、ボール部２の中央側に向けて下り勾配となる傾斜を有する。【選択図】図７
2017198036.tif 000002
【特許請求の範囲】
【請求項１】
汚物を除去するための洗浄水が流れるボール面を有するボール部を備え、
前記ボール部は、前記ボール面上縁に沿って周方向に通水された洗浄水を流す棚面を有する棚部と、前記棚面の周方向の一部に位置して洗浄水を周方向に通水する通水口と、を備え、
前記棚面は、前記通水口の上流側に上段部を有するとともに前記通水口の下流側に下段部を有する段差部を備え、
前記下段部は、前記ボール部の中央側に向けて下り勾配となる傾斜を有することを特徴とする水洗便器。
【請求項２】
前記上段部は、上流側から下流側に向けて下り勾配となる傾斜を有することを特徴とする請求項１記載の水洗便器。
【請求項３】
前記棚面は、前記上段部と前記下段部との間の接続部に垂直面を有することを特徴とする請求項１または２記載の水洗便器。
【請求項４】
前記棚面は、前記上段部と前記下段部との間の接続部に上流側から下流側に向けて下り勾配となる傾斜面を有することを特徴とする請求項１または２記載の水洗便器。
【請求項５】
前記棚面は、前記上段部と前記接続部との間の上境界部にＲ形状を有することを特徴とする請求項３または４記載の水洗便器。
【請求項６】
前記棚面は、前記下段部と前記接続部との間の下境界部にＲ形状を有することを特徴とする請求項３ないし５のいずれか一項に記載の水洗便器。
【請求項７】
前記ボール面は、前記棚面と、前記ボール面の前記棚面の直下の部分にＲ形状を有することを特徴とする請求項１ないし６のいずれか一項に記載の水洗便器。
【発明の詳細な説明】
【技術分野】
【０００１】
本発明は、水洗便器に関するものである。
【背景技術】
【０００２】
従来、ボール部と、ボール部の上に設けられて便座が上面に載置されるリム部と、を備える水洗便器が知られている（たとえば特許文献１参照）。
【０００３】
特許文献１において、ボール部（特許文献１中の符号２０）は、ボール部上縁に沿って周方向に噴出された洗浄水を流す棚面を備えている。またボール部（２０）は、棚面の周方向の一部に位置して洗浄水を周方向に噴出するボール面噴出口（特許文献１中のリム噴出口４４）を備えている。
【先行技術文献】
【特許文献】
【０００４】
【特許文献１】特許３５７８１６９号公報
【発明の概要】
【発明が解決しようとする課題】
【０００５】
特許文献１に示される水洗便器にあっては、ボール面噴出口（リム噴出口４４）との繋ぎ部分にてボール面噴出口（リム噴出口４４）の底面付近が連続する棚面となっているが、一方で、ボール面の洗浄を終了してボール面噴出口（リム噴出口４４）からの洗浄水の噴出が減衰したときに、棚面のボール面噴出口（リム噴出口４４）の付近に洗浄水が残りやすいものであった。
【０００６】
本発明は上記従来の問題点に鑑みて発明したものであって、その目的とするところは、棚面に洗浄水が残りにくい水洗便器を提供することにある。
【課題を解決するための手段】
【０００７】
上記課題を解決するために、本発明の水洗便器は、汚物を除去するための洗浄水が流れるボール面を有するボール部を備える。前記ボール部は、前記ボール面上縁に沿って周方向に通水された洗浄水を流す棚面を有する棚部と、前記棚面の周方向の一部に位置して洗浄水を周方向に通水する通水口と、を備える。前記棚面は、前記通水口の上流側に上段部を有するとともに前記通水口の下流側に下段部を有する段差部を備える。前記下段部は、前記ボール部の中央側に向けて下り勾配となる傾斜を有する。
【発明の効果】
【０００８】
本発明の水洗便器にあっては、段差および下段部の傾斜により棚面の水を積極的に除去することで、棚面に洗浄水が残りにくい。
【図面の簡単な説明】
【０００９】
【図１】図１は、本発明に係る第１実施形態の水洗便器の平面図である。
【図２】図２は、図１のＡ−Ａ線断面図である。
【図３】図３は、図１のＢ−Ｂ線断面図である。
【図４】図４は、同上の水洗便器を備えた便器装置の全体斜視図である。
【図５】図５は、同上の水洗便器のリム部およびスカート部を除いた、ボール部の平面図である。
【図６】図６は、同上のボール部の要部斜視図である。
【図７】図７Ａは、図６のＣ−Ｃ線断面図である。図７Ｂは、図７ＡのＤ−Ｄ線断面図である。
【図８】図８は、本発明に係る第２実施形態の水洗便器の平面図である。
【図９】図９は、図８のＥ−Ｅ線断面図である。
【図１０】図１０は、図８のＦ−Ｆ線断面図である。
【図１１】図１１は、同上の水洗便器のリム部およびスカート部を除いた、ボール部の平面図である。
【図１２】図１２は、同上のボール部の要部斜視図である。
【図１３】図１３は、同上のボール部の要部断面図である。
【図１４】図１４は、他例のボール部の要部断面図である。
【図１５】図１５Ａは、段差が２ｍｍ、Ｒが１ｍｍ、傾斜が６０°の他例のボール部の要部断面図である。図１５Ｂは、段差が２ｍｍ、Ｒが２ｍｍ、傾斜が６０°の他例のボール部の要部断面図である。
【図１６】図１６Ａは、段差が３ｍｍ、Ｒが２ｍｍ、傾斜が８５°の他例のボール部の要部断面図である。図１６Ｂは、段差が３ｍｍ、Ｒが２ｍｍ、傾斜が６０°の他例のボール部の要部断面図である。
【発明を実施するための形態】
【００１０】
本発明は、水洗便器に関し、詳しくは、ボール部とリム部とを備え、ボール部のボール面上縁に、洗浄水を流すための棚面を有する水洗便器に関するものである。
【００１１】
第１実施形態の水洗便器１について、図１〜図７に基いて説明する。
【００１２】
図１〜図３に示すように、水洗便器１は、ボール部２と、リム部３と、を備える。
【００１３】
ボール部２は、その内面が汚物を除去するための洗浄水が流れるボール面２０となるもので、上方に開口する。ボール部２の底部２１の後部には排水口部２２が設けられる。ここで、前後左右について、図１〜図３に示すように定義する。すなわち、便座に座る使用者の向きが設計上想定されており、この便座に座った使用者が向く方を前方とする。前方に対して後方、左方、右方が定まる。
【００１４】
排水口部２２は、図２に示すように、縦筒部２２１の後部に横筒部２２２が接続されて内部空間が連続するように一体に形成された、筒状の部材である。排水口部２２の上流端となる縦筒部２２１の上端開口２２０が、ボール部２の底部２１に上方に向けて開口している。排水口部２２の下流端となる横筒部２２２の後端開口が、後方に向けて開口している。
【００１５】
図示しないが、横筒部２２２の後端には、筒状をした可動トラップの軸方向の一端（基端）が接続される。可動トラップは、ゴム、樹脂等により形成される変形可能なトラップ筒を有する。
【００１６】
トラップ筒は、モータにより、軸方向の他端（先端）の位置および向きが変化する。トラップ筒の先端が上位置に位置するとともに先端開口が上方を向く姿勢で、トラップを構成し、ボール部２内に溜水が形成可能となる。また、トラップ筒の先端が下位置に位置するとともに先端開口が下方を向く姿勢で、ボール部２内の溜水が汚物とともに排出可能となる。
【００１７】
なお、このような可動トラップが設けられる必要はなく、横筒部２２２の後端に固定的なトラップ筒が接続されるものであってもよい。
【００１８】
ボール部２の上縁には、リム部３が設けられている。リム部３は、上面３１に便座が載置される。図２、図３に示すように、リム部３は、平面視において、その内端縁がボール部２の上端部の外端縁よりも内側に位置している。
【００１９】
さらに第１実施形態では、図２、図３に示すように、リム部３に樹脂からなるスカート部１１が一体に固着されている。スカート部１１は、ボール部２の前方、左方、右方を覆う。第１実施形態では、ボール部２、リム部３およびスカート部１１が一体に形成されて、水洗便器１が構成されている。
【００２０】
さらに第１実施形態では、図示しないが、樹脂により一体に形成されているボール部２、リム部３およびスカート部１１を補助的に支持する金属製のフレーム部が設けられている。
【００２１】
図４に、水洗便器１を備えた便器装置４を示す。便器装置４は、後部の内部に可動トラップ等の機器を収納している。また、便器装置４は、脱臭装置、局部洗浄装置といった各種装置を適宜備えてもよい。
【００２２】
図５、図６に示すように、ボール部２は、ボール面２０上縁に、周方向に通水された洗浄水をボール面２０上縁に沿って流す棚面５を有する棚部２３を備える。棚面５は、ボール面２０の一部を構成し、周方向に通水された洗浄水を載せた状態でボール面２０上縁に沿って旋回させる。ボール部２のうち、棚面５を有する部分が棚部２３となる。
【００２３】
図７Ａに示すように、棚面５（特に後述する下段部５２および下段部５２より下流側の部分）の傾斜５２１の角度θ１（水平方向に対する角度）は、ボール面２０のうち棚面５の直下の部分２０１の傾斜の角度θ２よりも小さい。ここで、傾斜５２１とは、ボール部２の中央側に向けて下り勾配となる傾斜を意味する。
【００２４】
具体的には、傾斜５２１の角度θ１は５°〜２５°程度、棚面５の直下の部分２０１の傾斜の角度θ２は、箇所により異なるものの棚面５の直下では３０°〜６０°程度である。なお、角度θ１、角度θ２の数値は特に限定されない。
【００２５】
図２、図３に示すように、ボール面２０のうち、棚面５の上側が内側面２０２となっている。また、内側面２０２と連続し棚面５と対向する下向きの面が上壁面３２となっている。内側面２０２および上壁面３２が、洗浄水が棚面５に沿って流れるためのガイドを構成する。
【００２６】
ボール部２は、図５、図６に示すように、棚面５の周方向の一部に位置して、洗浄水を周方向に通水する通水口２４を備える。第１実施形態では、通水口２４は、棚面５の右側の後端部に設けられている。通水口２４は、前側の棚面５に沿う方向に向けて開口する。
【００２７】
図５〜図７に示すように、第１実施形態では、ボール面２０の右側の後端部に目隠し壁２５が設けられ、目隠し壁２５の前端に通水口２４が設けられる。
【００２８】
通水口２４の上流側の部分、すなわち、目隠し壁２５と内側面２０２の間の部分に、リム給水路２６が設けられる。目隠し壁２５は、リム給水路２６が露出しないようにするために設けられる。
【００２９】
リム給水路２６は、樹脂またはゴム等の材質により構成される。リム給水路２６は、先端のボール面噴出口２６０の流路面積をクリップ等で変化させることで、ボール面噴出口２６０からの水の噴出速度が変更可能である。リム給水路２６の上流端は、通常は、水洗便器１（便器装置４）の設置場所の水道に接続される。水道圧は、水洗便器１が設置される場所によって異なるが、リム給水路２６の流路面積を変化させることで、水道圧によらずに所定の噴出速度が得られる。
【００３０】
リム給水路２６は、先端が通水口２４よりも後方に位置するように設けられる。これにより、目隠し壁２５による目隠しがなされて、通水口２４からリム給水路２６およびボール面噴出口２６０は露出せず容易には見えない。
【００３１】
図５に示すように、洗浄水は、まず、リム給水路２６のボール面噴出口２６０より前方に向けて噴出する。噴出した洗浄水は、通水口２４よりも上流側の棚面５、通水口２４、通水口２４よりも下流側の棚面５を順に通水して、棚面５に沿って周方向に流れる。棚面５は、流れ方向に沿って、下流側に向けて下り勾配となる傾斜を有している（図２参照）。
【００３２】
棚面５に沿って流れる洗浄水は、棚面５の傾斜５２１（図７Ａ参照）により、ボール部２の中央側に向けて少しずつ流下し、旋回しながらボール面２０全体を排水口部２２に向けて流れる。これにより、ボール面２０の全体が洗浄水によって洗浄される。
【００３３】
第１実施形態では、図５、図３に示すように、ボール面２０の底部２１の排水口部２２の前側でかつ右側の部分に、高底部２７が設けられる。また、底部２１の排水口部２２の前側でかつ左側の部分に、高底部２７よりも低い窪み部２８が設けられる。また、底部２１の排水口部２２の前側でかつ窪み部２８よりも左側の部分に、旋回流が衝突して流れを排水口部２２に向けるための突出部２９が設けられる。
【００３４】
棚面５から流下した洗浄水の一部は、高底部２７および高底部２７に連続するボール面２０を矢印６１に示すように後側から前側、右側から左側に向けて旋回しながら流れる。矢印６１に示すように流れた洗浄水は、突出部２９に衝突し、矢印６２に示すように流れが排水口部２２を向くようにガイドされ、窪み部２８を通って排水口部２２内に流れ込む。
【００３５】
図６、図７に示すように、棚面５は、通水口２４の上流側に上段部５１を有するとともに通水口２４の下流側に下段部５２を有する段差部５０を備える。すなわち、通水口２４の上流側の目隠し壁２５と内側面２０２の間の棚面５が、上段部５１となる。通水口２４の下流側の目隠し壁２５に目隠しされていない棚面５が、下段部５２となる。上段部５１と下段部５２の高さの差（段差）は、第１実施形態では好適には１ｍｍ〜３ｍｍである。
【００３６】
棚面５の上段部５１と下段部５２との間の段差に加え、ボール面噴出口２６０と棚面５の上段部５１との間には段差がある。これら２箇所の段差の大きさ・落差を調整・設計することにより、洗浄水の衝突および水圧のエネルギーロスの大きさを調整し、棚面５に通水する洗浄水の水圧・エネルギーを積極的に調整できる。
【００３７】
第１実施形態では、図７Ｂに示すように、棚面５は、段差部５０において、上段部５１と下段部５２との間の接続部５３に垂直面５３１を有しており、垂直面５３１という簡単な構造で段差部５０が設けられている。
【００３８】
下段部５２は、図７Ａに示すように、ボール部２の中央側に向けて下り勾配となる上述した傾斜５２１を有する。この傾斜５２１を有することにより、上段部５１から段差により落下して下段部５２の表面に位置する水がボール部２の中央側に向けて積極的に流れやすくしている。このため、棚面５の通水口２４が設けられる部分（すなわち下段部５２）に洗浄水が残りにくく、水垢がつきにくい。
【００３９】
第１実施形態では、図７Ｂに示すように、上段部５１は、上流側から下流側に向けて下り勾配となる傾斜を有する。第１実施形態では、通水口２４よりも上流側の棚面５（すなわち上段部５１）に、リム給水路２６のボール面噴出口２６０から噴出された水が流される。このため、上段部５１が下流側に向けて下り勾配となる傾斜を有することにより、ボール面噴出口２６０から噴出された水を積極的に流れやすくしており、上段部５１に洗浄水が残りにくく、水垢がつきにくくなる。
【００４０】
この上段部５１の下流側に向けて下り勾配となる傾斜に合わせて、リム給水路２６のボール面噴出口２６０からの噴出方向２６１が決められている。第１実施形態では、噴出方向２６１は、水平方向より５°〜２０°下方を向いているが、噴出方向２６１がどの方向を向くかは特に限定されない。
【００４１】
また第１実施形態では、図５に示すように、平面視におけるリム給水路２６のボール面噴出口２６０からの噴出方向２６２が前方を向いているが、噴出方向２６２がどの方向を向くかは特に限定されない。
【００４２】
なお、第１実施形態では、リム給水路２６が見えにくくなるように目隠し壁２５が設けられているが、目隠し壁２５は棚面５への洗浄水の通水には寄与していない。すなわち、目隠し壁２５が設けられなくても、リム給水路２６のボール面噴出口２６０から噴出された洗浄水は、上段部５１、通水口２４、下段部５２を流れ、棚面５に載って周回しながら、図５の矢印６１および矢印６２に示すように排水口部２２内に向けて流れる。つまり、通水口２４において洗浄水を通水するが噴出して水を勢いを高めるようなことはなく、リム給水路２６およびボール面噴出口２６０を隠す必要がなければ目隠し壁２５がなくてもよい。
【００４３】
第２実施形態の水洗便器１Ａについて、図８〜図１３に基いて説明する。なお、第２実施形態の水洗便器１Ａは、大部分において第１実施形態の水洗便器１と同じであるため、同じ構成については同符号の末尾に「Ａ」を付した符号を用いて説明を省略し、主に異なる構成について説明する。
【００４４】
図８〜図１０に示すように、水洗便器１Ａは、ボール部２Ａと、リム部３Ａと、を備える。ボール部２Ａの底部２１Ａの後部には排水口部２２Ａが設けられる。横筒部２２２Ａの後端には、可動トラップが接続されるが、可動トラップのかわりに固定的なトラップ筒が接続されてもよい。
【００４５】
第２実施形態では、ボール面２０Ａが第１実施形態のボール面２０と異なる点で、第１実施形態と大きく相違する。図１１に示すように、ボール面２０Ａには、第１実施形態のボール面２０が有する高底部２７、窪み部２８および突出部２９が設けられない。ボール面２０Ａには、高底部２７、窪み部２８および突出部２９のかわりに、図１１の矢印６３に沿って表面が凹む凹条が設けられている。
【００４６】
洗浄水は、図１１に示すように、まず、リム給水路２６Ａのボール面噴出口２６０Ａより噴出する。噴出した洗浄水は、通水口２４Ａよりも上流側の棚面５Ａ、通水口２４Ａ、通水口２４Ａよりも下流側の棚面５Ａを順に通水して、棚面５Ａに沿って周方向に流れる。棚面５Ａは、流れ方向に沿って、下流側に向けて下り勾配となる傾斜を有している。
【００４７】
棚面５Ａに沿って流れる洗浄水は、棚面５Ａの傾斜５２１Ａにより、ボール部２Ａの中央側に向けて少しずつ流下し、旋回しながらボール面２０Ａ全体を排水口部２２Ａに向けて流れる。これにより、ボール面２０Ａの全体が洗浄水によって洗浄される。
【００４８】
棚面５Ａから流下した洗浄水は、ボール面２０Ａに設けられた上記凹条にガイドされて、矢印６３に示すように後側から前側、右側から左側に向けて旋回しながら流れ、排水口部２２Ａ内に流れ込む。
【００４９】
図１２、図１３に示すように、棚面５Ａは、通水口２４Ａの上流側に上段部５１Ａを有するとともに通水口２４Ａの下流側に下段部５２Ａを有する段差部５０Ａを備える。棚面５Ａは、段差部５０Ａにおいて、上段部５１Ａと下段部５２Ａとの間の接続部５３Ａに垂直面５３１Ａを有している。上段部５１Ａと下段部５２Ａの段差は、好適には１ｍｍ〜３ｍｍである。
【００５０】
下段部５２Ａは、ボール部２Ａの中央側に向けて下り勾配となる傾斜５２１Ａを有する。この傾斜５２１Ａを有することにより、上段部５１Ａから段差により落下して下段部５２Ａの表面に位置する水がボール部２Ａの中央側に向けて積極的に流れやすくしている。このため、棚面５Ａの通水口２４Ａが設けられる部分（すなわち下段部５２Ａ）に洗浄水が残りにくく、水垢がつきにくい。
【００５１】
また、図１３に示すように、上段部５１Ａは、上流側から下流側に向けて下り勾配となる傾斜を有する。これにより、ボール面噴出口２６０Ａから噴出された水が積極的に流れやすくしており、上段部５１Ａに洗浄水が残りにくく、水垢がつきにくくなる。
【００５２】
また、この上段部５１Ａの下流側に向けて下り勾配となる傾斜に合わせて、リム給水路２６Ａのボール面噴出口２６０Ａからの噴出方向２６１Ａが決められている。第２実施形態では、噴出方向２６１Ａは、水平方向より５°〜２０°下方を向いているが、噴出方向２６１Ａがどの方向を向くかは特に限定されない。
【００５３】
また、図１２に示すように、平面視におけるリム給水路２６Ａのボール面噴出口２６０Ａからの噴出方向２６２Ａが前方より外側（図１２では右側）を向いているが、噴出方向２６２Ａがどの方向を向くかは特に限定されない。
【００５４】
第２実施形態も、第１実施形態と同様、ボール面噴出口２６０Ａと棚面５Ａの上段部５１Ａとの間には段差があり、この段差の大きさ・落差により、洗浄水の衝突および水圧のエネルギーロスの大きさを調整し、棚面５Ａに通水する洗浄水の水圧・エネルギーを積極的に調整できる。
【００５５】
なお、第２実施形態においても、第１実施形態と同様に、通水口２４Ａにおいて洗浄水を通水するが噴出して水を勢いを高めるようなことはなく、リム給水路２６Ａおよびボール面噴出口２６０Ａを隠す必要がなければ目隠し壁２５Ａがなくてもよい。
【００５６】
以下、第１実施形態〜第２実施形態における水洗便器１の変形例について説明する。なお、以下において符号に「Ａ」が付されていなくても、第２実施形態の構成を含むものとする。
【００５７】
ボール部２、リム部３およびスカート部１１は、振動溶着以外の方法（たとえば接着剤による接着、ビスどめ）により一体に形成されてもよい。また、ボール部２、リム部３およびスカート部１１の材質は樹脂に限定されない。また、スカート部１１は特に設けられなくてもよい。
【００５８】
フレーム部の材質は特に限定されない。また、フレーム部は特に設けられなくてもよい。
【００５９】
通水口２４は、第１実施形態では棚面５の右側の後端部に設けられているが、通水口２４が設けられる左右の位置および前後の位置は限定されない。
【００６０】
通水口２４付近に設けられるリム給水路２６の材質は特に限定されない。また、リム給水路２６のかわりに容易に変形しない管が設けられてもよい。
【００６１】
次の変形例について、図１４に基いて説明する。第１実施形態および第２実施形態では、図７Ａに示すように、棚面５と、ボール面２０の棚面５の直下の部分２０１とは、交点においてＲ形状を有しない尖った形状を有していた。これに対し、図１４に示す変形例では、棚面５と、ボール面２０の棚面５の直下の部分２０１との交わり部が、Ｒ形状２０３をなしている。Ｒ形状２０３の半径（Ｒ）は１ｍｍ、２ｍｍ、３ｍｍまたは３ｍｍを超える値でもよく、特に限定されない。これにより、お手入れ性がよくなるとともに、見栄えがよくなる。
【００６２】
次の変形例について、図１５、図１６に基いて説明する。第１実施形態および第２実施形態では、図７Ｂ、図１３に示すように、上段部５１と下段部５２との間の接続部５３に垂直面５３１を有していた。
【００６３】
これに対し、本変形例では、棚面５は、上段部５１と下段部５２との間の接続部５３に上流側から下流側に向けて下り勾配となる傾斜面５３２を有する。これにより、上段部５１から段差により落下して傾斜面５３２の表面に位置する水が下流側に向けて積極的に流れやすくしている。このため、棚面５の通水口２４の上流側および下流側において洗浄水が残りにくく、水垢がつきにくい。
【００６４】
さらに、本変形例では、棚面５は、上段部５１と接続部５３との間の上境界部５４にＲ形状を有する。これにより、お手入れ性がよくなるとともに、見栄えがよくなる。
【００６５】
さらに、本変形例では、棚面５は、下段部５２と接続部５３との間の下境界部５５にＲ形状を有する。これにより、お手入れ性がよくなるとともに、見栄えがよくなる。
【００６６】
図１５Ａ〜図１５Ｂに示す変形例では、上段部５１と下段部５２の段差が１ｍｍである。
【００６７】
図１５Ａに示す変形例では、傾斜面５３２が水平方向に対してなす角度（傾斜角度）が６０°であり、上境界部５４のＲ形状および下境界部５５のＲ形状のＲは１ｍｍである。
【００６８】
図１５Ｂに示す変形例では、傾斜角度が６０°であり、上境界部５４のＲ形状および下境界部５５のＲ形状のＲは２ｍｍである。
【００６９】
図１６Ａ〜図１６Ｂに示す変形例では、段差が２ｍｍである。
【００７０】
図１６Ａに示す変形例では、傾斜角度が８５°であり、上境界部５４のＲ形状および下境界部５５のＲ形状のＲは２ｍｍである。
【００７１】
図１６Ｂに示す変形例では、傾斜角度が６０°であり、上境界部５４のＲ形状および下境界部５５のＲ形状のＲは２ｍｍである。
【００７２】
なお、変形例は上記に限定されない。たとえば、図１５〜図１６に示すように、上段部５１と下段部５２との間の接続部５３に上流側から下流側に向けて下り勾配となる傾斜面５３２を有する形態において、段差が１ｍｍ〜３ｍｍが好適であるがその範囲外の値であってもよい。また、このとき、上境界部５４がＲ形状を有してもよいし有しなくてもよく、Ｒ形状を有する場合のＲ形状のＲが１ｍｍ〜３ｍｍが好適であるがその範囲外の値であってもよい。また、このとき、下境界部５５がＲ形状を有してもよいし有しなくてもよく、Ｒ形状のＲが１ｍｍ〜３ｍｍが好適であるがその範囲外の値であってもよい。
【００７３】
また、たとえば、図７Ｂ、図１３に示すように、上段部５１と下段部５２との間の接続部５３に垂直面５３１を有する形態において、段差が１ｍｍ〜３ｍｍが好適であるがその範囲外の値であってもよい。また、このとき、上境界部５４がＲ形状を有してもよいし有しなくてもよく、Ｒ形状を有する場合のＲ形状のＲが１ｍｍ〜３ｍｍが好適であるがその範囲外の値であってもよい。また、このとき、下境界部５５がＲ形状を有してもよいし有しなくてもよく、Ｒ形状のＲが１ｍｍ〜３ｍｍが好適であるがその範囲外の値であってもよい。
【００７４】
また、上段部５１と下段部５２との間の接続部５３に傾斜面５３２を有する形態において、段差が１ｍｍ〜３ｍｍが好適であるがその範囲外の値であってもよい。また、このとき、上境界部５４がＲ形状を有してもよいし有しなくてもよく、Ｒ形状を有する場合のＲ形状のＲが１ｍｍ〜３ｍｍまたは３ｍｍが好適であるがその範囲外の値であってもよい（図１５、図１６参照）。また、このとき、下境界部５５がＲ形状を有してもよいし有しなくてもよく、Ｒ形状のＲが１ｍｍ〜３ｍｍまたは３ｍｍが好適であるがその範囲外の値であってもよい（図１５、図１６参照）。
【００７５】
以上、述べた第１実施形態〜第２実施形態およびその変形例から明らかなように、本発明に係る第１の態様の水洗便器１は、汚物を除去するための洗浄水が流れるボール面２０を有するボール部２を備える。ボール部２は、ボール面２０上縁に沿って周方向に通水された洗浄水を流す棚面５を有する棚部２３を備える。ボール部２は、棚面５の周方向の一部に位置して洗浄水を周方向に通水する通水口２４を備える。棚面５は、通水口２４の上流側に上段部５１を有するとともに通水口２４の下流側に下段部５２を有する段差部５０を備える。下段部５２は、ボール部２の中央側に向けて下り勾配となる傾斜５２１を有する。
【００７６】
第１の態様によれば、下段部５２が傾斜５２１を有することにより、上段部５１から段差により落下して下段部５２の表面に位置する水がボール部２の中央側に向けて積極的に流れやすくしている。つまり、段差および下段部５２の傾斜５２１により棚面５の水を積極的に除去することで、棚面５に洗浄水が残りにくく、水垢がつきにくい。
【００７７】
本発明に係る第２の態様の水洗便器１は付加的なものであり、第１の態様との組み合わせにより実現される。第２の態様の水洗便器１は、上段部５１が、上流側から下流側に向けて下り勾配となる傾斜を有する。
【００７８】
第２の態様によれば、上段部５１に洗浄水が残りにくく、水垢がつきにくくなる。
【００７９】
本発明に係る第３の態様の水洗便器１は付加的なものであり、第１の態様または第２の態様との組み合わせにより実現される。第３の態様の水洗便器１は、棚面５が、上段部５１と下段部５２との間の接続部５３に垂直面５３１を有する。
【００８０】
第３の態様によれば、垂直面５３１という簡単な構造で段差部５０が設けられる。
【００８１】
本発明に係る第４の態様の水洗便器１は付加的なものであり、第１の態様または第２の態様との組み合わせにより実現される。第４の態様の水洗便器１は、棚面５が、上段部５１と下段部５２との間の接続部５３に上流側から下流側に向けて下り勾配となる傾斜面５３２を有する。
【００８２】
第４の態様によれば、傾斜面５３２の表面に位置する水が下流側に向けて流れやすくなり、棚面５の通水口２４の上流側および下流側において洗浄水が残りにくい。
【００８３】
本発明に係る第５の態様の水洗便器１は付加的なものであり、第３の態様または第４の態様との組み合わせにより実現される。第５の態様の水洗便器１は、棚面５が、上段部５１と接続部５３との間の上境界部５４にＲ形状を有する。
【００８４】
第５の態様によれば、お手入れ性がよくなるとともに、見栄えがよくなる。
【００８５】
本発明に係る第６の態様の水洗便器１は付加的なものであり、第３の態様ないし第５の態様のいずれかの態様との組み合わせにより実現される。第６の態様の水洗便器１は、棚面５が、下段部５２と接続部５３との間の下境界部５５にＲ形状を有する。
【００８６】
第６の態様によれば、お手入れ性がよくなるとともに、見栄えがよくなる。
【００８７】
本発明に係る第７の態様の水洗便器１は付加的なものであり、第１の態様ないし第６の態様のいずれかの態様との組み合わせにより実現される。第７の態様の水洗便器１は、ボール面２０が、棚面５と、ボール面２０の棚面５の直下の部分２０１にＲ形状を有する。
【００８８】
第７の態様によれば、お手入れ性がよくなるとともに、見栄えがよくなる。
【符号の説明】
【００８９】
１      水洗便器
２      ボール部
２０    ボール面
２３    棚部
２４    通水口
３      リム部
３１    上面
５      棚面
５０    段差部
５１    上段部
５１１  傾斜
５２    下段部
５２１  傾斜
５３    接続部
５３１  垂直面
５３２  傾斜面
５４    上境界部
５５    下境界部
【図１】
2017198036.tif 000003
【図２】
2017198036.tif 000004
【図３】
2017198036.tif 000005
【図４】
2017198036.tif 000006
【図５】
2017198036.tif 000007
【図６】
2017198036.tif 000008
【図７】
2017198036.tif 000009
【図８】
2017198036.tif 000010
【図９】
2017198036.tif 000011
【図１０】
2017198036.tif 000012
【図１１】
2017198036.tif 000013
【図１２】
2017198036.tif 000014
【図１３】
2017198036.tif 000015
【図１４】
2017198036.tif 000016
【図１５】
2017198036.tif 000017
【図１６】
2017198036.tif 000018